(57)【要約】      （修正有）【課題】齦頬移行部に滞留する食物残渣等の汚れを容易かつ完全に除去することができると共に、歯肉ないし頬粘膜を損傷するおそれのない齦頬移行部の清掃具を提供する。【解決手段】柄部２１の一端２２における植毛面２３に毛束２５が植毛面の長さ方向に一列に植毛されており、幅が小さい。したがって、毛束部の先端は狭い齦頬移行部内の奧部まで十分に届く。また、植毛面は柄部の中心線に対し傾斜しており、毛束を構成する各毛の先端は丸く形成されている。【選択図】図１
0003185945.tif 000002
【実用新案登録請求の範囲】
【請求項１】
柄部の一端における植毛面には毛束を該植毛面の長さ方向に一列に植毛してなることを特徴とする齦頬移行部の清掃具。
【請求項２】
前記植毛面は前記柄部の中心線に対し傾斜させたことを特徴とする請求項１に記載の齦頬移行部の清掃具。
【請求項３】
前記毛束を構成する各毛は先端を丸く形成したことを特徴とする請求項１又は２に記載の齦頬移行部の清掃具。
【考案の詳細な説明】
【技術分野】
【０００１】
本考案は、齦頬移行部の清掃具に関するものであり、更に詳しくは、齦頬移行部に滞留する食物残渣等の汚れを除去するための齦頬移行部の清掃具に係るものである。
【０００２】
齦頬移行部１は、図７に示すように、口腔内において歯肉３と頬粘膜５との間の狭い溝部であり、上顎齦頬移行部１ａと下顎齦頬移行部１ｂとを含む。すなわち、齦頬移行部１は、口腔内の上下にそれぞれ存在する。図７において、符号７に示すものは上歯、符号９に示すものは下歯、符号１１に示すものは舌である。
【背景技術】
【０００３】
齦頬移行部には食物残渣等の汚れが滞留しやすい。齦頬移行部に滞留する食物残渣等の汚れは歯周病、口臭等の原因になるおそれがあるため、食後には齦頬移行部から食物残渣等の汚れを除去し、齦頬移行部を常に清潔な状態に維持する必要がある。
【０００４】
齦頬移行部を清掃する際には、例えば実用新案登録第２５９３０５２号公報に示す如き歯ブラシ（以下「従来の歯ブラシ」という。）がしばしば用いられる。従来の歯ブラシは、ハンドルの一端にヘッド部を備え、該ヘッド部に複数列の毛束を植毛してなるものである。
【先行技術文献】
【特許文献】
【０００５】
【特許文献１】実用新案登録第２５９３０５２号公報
【考案の概要】
【考案が解決しようとする課題】
【０００６】
しかるに、上述の如く齦頬移行部が狭い溝部であるのに対し、従来の歯ブラシは、ヘッド部に複数列の毛束を植毛しているため、複数列の毛束よりなる毛束部の幅が大きい。したがって、従来の歯ブラシにおける毛束部は齦頬移行部内の奥部まで十分に届かないことがある。そのため、齦頬移行部の奥部に滞留する食物残渣等の汚れを完全には除去し得ないおそれがあると共に、毛束部を齦頬移行部内に押し込もうとして歯肉ないし頬粘膜を損傷するおそれもある。
【０００７】
本考案は、従来の歯ブラシにおける上述の如き問題を解決し、齦頬移行部に滞留する食物残渣等の汚れを容易かつ完全に除去することができると共に、歯肉ないし頬粘膜を損傷するおそれのない齦頬移行部の清掃具を提供しようとしてなされたものである。
【課題を解決するための手段】
【０００８】
上記課題を解決するために、本考案は、下記の齦頬移行部の清掃具を提供する。
【０００９】
（１）柄部の一端における植毛面には毛束を該植毛面の長さ方向に一列に植毛してなることを特徴とする齦頬移行部の清掃具（請求項１）。
【００１０】
（２）前記植毛面は前記柄部の中心線に対し傾斜させる（請求項２）。
【００１１】
（３）前記毛束を構成する各毛は先端を丸く形成する(請求項３)。
【考案の効果】
【００１２】
[請求項１の考案]
柄部の一端における植毛面には毛束を該植毛面の長さ方向に一列に植毛しているため、毛束部は単一の毛束列よりなり、幅が小さい。したがって、毛束部の先端は狭い齦頬移行部内の奥部まで十分に届く。そのため、齦頬移行部の奥部に滞留する食物残渣等の汚れを完全に除去することができる。また、毛束部の先端が齦頬移行部の奥部に容易に届くため、毛束部を齦頬移行部内に押し込もうとして歯肉ないし頬粘膜を傷つけるようなこともない。また、毛束部の幅が小さいため、清掃具の使用後の洗浄が容易である。
【００１３】
なお、清掃具を用いて齦頬移行部に滞留する食物残渣等の汚れを除去し、齦頬移行部を清潔に維持することにより、歯周病、口内炎、口臭等の予防に役立つ。
【００１４】
[請求項２の考案]
植毛面は前記柄部の中心線に対し傾斜しているため、柄部を手指で把持したときに、毛束部の先端を齦頬移行部の奥部に接触させ易くなる。
【００１５】
[請求項３の考案]
毛束を構成する各毛は先端を丸く形成しているため、清掃具の使用時に該先端が齦頬移行部、歯肉、頬粘膜等を傷つけるおそれがない。
【図面の簡単な説明】
【００１６】
【図１】図１は、本考案による齦頬移行部の清掃具の一例を示す側面図である。
【図２】図２は、同上清掃具における植毛面と植毛孔とを示す平面図である。
【図３】図３は、同上清掃具における植毛面と毛束部とを示す平面図である。
【図４】図４は、同上清掃具の柄部を示す側面図である。
【図５】図５は、本考案による齦頬移行部の清掃具の別の一例を示す側面図である。
【図６】図６は、毛束を構成する毛の先端を示す側面図である。
【図７】図７は、齦頬移行部を示す口腔の参考用断面図である。
【考案を実施するための形態】
【００１７】
符号２１に示すものは齦頬移行部の清掃具の柄部である。柄部２１は、一例として、ポリプロピレンにより形成する。
【００１８】
柄部２１は一端２２に植毛面２３を備えている。植毛面２３は、好ましくは、柄部２１と一体的に形成する。植毛面２３には毛束２５、２５・・・を該植毛面２３の長さ方向に一列に植毛する。
【００１９】
すなわち、一例として、図２に示すように、植毛面２３に植毛孔２７、２７．・・・を該植毛面２３の長さ方向に一列に形成し、各植毛孔２７に毛束２５を植毛する。換言すれば、毛束部２８は、図３に示すように、単一の毛束列よりなるため、幅が小さい。
【００２０】
毛束２５を植毛孔２７に植毛する際には、一例として、毛束２５の基端２５ａを植毛孔２７に挿入した状態で該基端２５ａと柄部２１の前記一端２３とを溶融状態で接合固定する。
【００２１】
毛束２５は、例えばナイロン等により形成した柔軟で腰のある多数本の毛２９、２９・・・を結合させてなるものである。毛束２５を構成する各毛２９は、好ましくは、図６に示すように、先端部２９ａを丸く形成する。
【００２２】
植毛面２３は、一例として図３に示すように、柄部２１の中心線３１に対し傾斜させることが望ましい。
【００２３】
洗浄具を使用する際には、柄部２１を手指により把持し、毛束部２８を齦頬移行部に軽く接触させた状態で齦頬移行部を撫でるように動かせばよい。なお、洗浄具を使用する際には、歯磨き剤を使用する必要がない。
【符号の説明】
【００２４】
１  齦頬移行部
１ａ  上顎齦頬移行部
１ｂ  下顎齦頬移行部
３  歯肉
５  頬粘膜
７  上歯
９  下歯
１１  舌
２１  柄部
２２  一端
２３  植毛面
２５  毛束
２５ａ  基端
２７  植毛孔
２８  毛束部
２９  毛
２９ａ  先端部
３１  中心線
【図１】
0003185945.tif 000003
【図２】
0003185945.tif 000004
【図３】
0003185945.tif 000005
【図４】
0003185945.tif 000006
【図５】
0003185945.tif 000007
【図６】
0003185945.tif 000008
【図７】
0003185945.tif 000009